(57)【要約】【課題】  スピーカユニットから出力される音声の振動が可能な限り正規の振動になって身体に伝達されるようにする。【解決手段】  音声を送出するスピーカユニット１及びスピーカユニット１を包容するエンクロージャ１０を備えた本体２と、本体２をスピーカユニット１の振動が身体Ｍに伝達されるように身体Ｍに付帯させる付帯手段２０とを備え、エンクロージャ１０を、音波及び振動を減衰する柔軟性のある材料で形成し、エンクロージャ１０が身体Ｍに接触する接触部位Ｔにスピーカユニット１を接触させた。【選択図】  図２
2017028650.tif 000002
【特許請求の範囲】
【請求項１】
音声を送出するスピーカユニット及び該スピーカユニットを包容するエンクロージャを備えた本体と、該本体を上記スピーカユニットの振動が身体に伝達されるように該身体に付帯させる付帯手段とを備えたスピーカ装置において、
上記エンクロージャを、音波及び振動を減衰する柔軟性のある材料で形成し、該エンクロージャが身体に接触する接触部位に上記スピーカユニットを接触させたことを特徴とするスピーカ装置。
【請求項２】
上記エンクロージャを、布材料，皮革材料，ゴム材料，紙材料，樹脂材料及びこれらの複合材料群から選択される１以上の材料で形成したことを特徴とする請求項１記載のスピーカ装置。
【請求項３】
上記エンクロージャを、上記スピーカユニット側に位置させられる基層と、該基層の外側に密集させて植設された所要長さの多数の毛房とを備えて構成したことを特徴とする請求項２記載のスピーカ装置。
【請求項４】
上記毛房の長さＬを、３ｍｍ≦Ｌ≦３０ｍｍにしたことを特徴とする請求項３記載のスピーカ装置。
【請求項５】
上記エンクロージャを袋状に形成し、該エンクロージャに上記スピーカユニットの出力面を露出させる窓開口を設け、該スピーカユニットをその出力面を露出させて上記エンクロージャに保持することを特徴とする請求項１乃至４何れかに記載のスピーカ装置。
【請求項６】
上記エンクロージャに、上記スピーカユニットを保持する保持部を設けたことを特徴とする請求項５記載のスピーカ装置。
【請求項７】
上記保持部を、上記スピーカユニットの外側が嵌合する筒状体で構成したことを特徴とする請求項６記載のスピーカ装置。
【請求項８】
上記付帯手段を、上記エンクロージャを収納する袋状の収納部と、該収納部に設けられ身体に係着されて該収納部を身体に接触させるベルトとを備えて構成したことを特徴とする請求項１乃至７何れかに記載のスピーカ装置。
【請求項９】
音声に基づく音声信号を生成する音声信号生成手段と、該音声信号生成手段が生成した音声信号を増幅して上記スピーカユニットから音声として出力させるアンプとを備え、上記音声信号生成手段を、音程の異なる複数の音声に対応した音声信号を記憶する音声信号記憶手段と、上記音程の異なる複数の音声のいずれかを指定する音声指定手段と、該音声指定手段によって指定された音声に対応する音声信号を上記音声信号記憶手段から選択して出力する音声信号出力手段とを備えて構成したことを特徴とする請求項１乃至８何れかに記載のスピーカ装置。
【請求項１０】
上記請求項１乃至９何れかに記載のスピーカ装置を用いて、使用者の発する発声音の音程を確認する音程確認方法であって、
使用者の身体に上記スピーカ装置の本体を付帯手段により付帯し、上記スピーカユニットから所定の音程の音声を出力し、この状態で使用者が上記スピーカユニットを通じて伝達される振動を感じなくなるように発声し、使用者が振動を感じなくなった時点でスピーカユニットからの音声の音程と、使用者の発声音の音程とが一致したと判断せしめることを特徴とする音程確認方法。
【発明の詳細な説明】
【技術分野】
【０００１】
本願発明は、スピーカユニットから出力される音声を身体に伝達させるようにしたスピーカ装置及びこれを用いた音程確認方法に関する。
【背景技術】
【０００２】
従来、この種のスピーカ装置として、例えば、特許第３５６１５３１号公報（特許文献１）に記載された技術が知られている。
図８に示すように、このスピーカ装置Ｓａは、音声を送出するスピーカユニット１００及びスピーカユニット１００を包容するエンクロージャ１０１を備えた本体１０２と、この本体１０２を身体に付帯させる付帯手段１０３とを備えて構成されている。エンクロージャ１０１は、音圧発生空間１０４を形成する硬質の内部ケース１０５と、内部ケース１０５を空間１０６を介して包持する外部ケース１０７と、内部ケース１０５の音圧生成空間１０４を二分するように仕切る画成板１０８とを備えて構成され、スピーカユニット１００は出力面１００ａが身体Ｍ側を向くようにその外周においてこの画成板１０８に支持されている。付帯手段１０３は、エンクロージャ１０１の外部ケース１０７から伸びこのエンクロージャ１０１を身体Ｍの背に接触させて身体Ｍに係着される肩ベルト（図示せず）及び腰ベルト１０９を備えて構成されている。尚、音声とは、人の声のみならず、音楽，電子音など人間の聴覚で認識可能な様々な音を意味する。
【０００３】
そして、このスピーカ装置Ｓａを使用するときは、使用者は、エンクロージャ１０１を背負い、肩ベルト及び腰ベルト１０９を係着し身体Ｍに付帯させる。そして、スピーカユニット１００から音声を出力すると、音圧生成空間１０４において空気振動が生成され内部ケース１０５に伝達され、更に、空間１０６を介して外部ケース１０７に伝達され、これにより、エンクロージャ１０１の外方の外気に伝播されるとともに、身体Ｍに伝達される。そのため、使用者は外気を通して感じる音声と、エンクロージャ１０１から身体に伝達される振動との両方で音声を感じることができ、音声を多角的に感じ取ることができる。
【先行技術文献】
【特許文献】
【０００４】
【特許文献１】特許第３５６１５３１号公報
【発明の概要】
【発明が解決しようとする課題】
【０００５】
ところで、上記従来のスピーカ装置Ｓａにあっては、エンクロージャ１０１が硬質なので少なからず共振音が生じ、また、エンクロージャ１０１の身体に接触する接触部位１０１ａが音圧生成空間１０４及び空間１０６を介してスピーカユニット１００の出力面１００ａ側に対峙しているので、身体Ｍに伝達される振動が、直接的ではなく、そのため、必ずしも正規の音声の振動として体感することができないという問題があった。
【０００６】
本発明はこのような問題点に鑑みて為されたもので、スピーカユニットから出力される音声の振動が可能な限り正規の振動になって身体に伝達されるようにしたスピーカ装置を提供することを目的とする。また、本発明は、このスピーカ装置を用い、スピーカユニットの振動に基づいて使用者の発する発声音の音程を確認する音程確認方法を提供することを目的とする。
【課題を解決するための手段】
【０００７】
このような目的を達成するための本発明のスピーカ装置は、音声を送出するスピーカユニット及び該スピーカユニットを包容するエンクロージャを備えた本体と、該本体を上記スピーカユニットの振動が身体に伝達されるように該身体に付帯させる付帯手段とを備えたスピーカ装置において、上記エンクロージャを、音波及び振動を減衰する柔軟性のある材料で形成し、該エンクロージャが身体に接触する接触部位に上記スピーカユニットを接触させた構成としている。ここで、音声とは、人の声のみならず、音楽，電子音など人間の聴覚で認識可能な様々な音を意味する。
【０００８】
このスピーカ装置を使用するときは、使用者は、スピーカユニット及びエンクロージャを備えた本体を、付帯手段により身体に付帯する。この状態で、スピーカユニットから音声を出力すると、音声がエンクロージャの外方の外気に伝播されるとともに、エンクロージャを通じて身体に伝達される。そのため、使用者は外気を通して感じる音声と、エンクロージャから身体に伝達される振動との両方で音声を感じることができ、音声を多角的に感じ取ることができる。この場合、エンクロージャの身体に接触する接触部位にスピーカユニットを接触させているので、スピーカユニットの振動がエンクロージャを通じて直接的に伝達されるとともに、エンクロージャが音波及び振動を減衰する柔軟性のある材料で形成されているので、スピーカユニットの直接振動ならびに、内部に放射される音によってエンクロージャが共振振動しても、共振音等の不要音の発生が極めて少なくなる。また、エンクロージャが吸音素材で出来ており、音の反射も少ないため、定在波の発生もなく、内部に放射される音が効果的に吸音される。エンクロージャ内部の損失が高いため、不要な内部振動が発生しにくく、目的音以外の発生が抑えられる。このため、スピーカユニットから出力される音声の振動を可能な限り正規の振動にして身体に伝達することができる。
【０００９】
そのため、例えば、楽器による音楽の演奏に係る音声である場合には、楽器の音色だけでなく、演奏家が感じている楽器の振動をそのまま身体で体感ができ、また、人の発声音の場合には、より真正で現実的な音声として体感することができる。この結果、例えば、聴覚の不自由な人が音楽や人の発声音を体感する際に、音育や語学レッスンにも利用する際に、極めて有用になる。更に、本体を付帯手段により身体に付帯させるので、使用者が動きながら使用することができ、例えば、音楽の場合、踊りながら聞くことができる。
【００１０】
また、本願発明者は、スピーカ装置の本体を使用者の身体に付帯させた状態で、スピーカユニットから所定の音程の音声を出力すると、音声がエンクロージャの外方の外気に伝播されるとともに、エンクロージャを通じて身体に伝達されるが、この際に、使用者が出力に係る音声と同じ音程の音声を発声すると、エンクロージャから身体に伝達される振動を感じなくなることを見出した。
この理由は、自分自身が声を発している時に起こる体の共振振動は自分自身の感覚ではそこに指先を当ててみないと、ほとんど気が付かないように感覚器官が処理していると同様、自身が声を発している最中に外部から全く同じ振動を与えても振動しているように感じない現象により引起こされるものと推察される。
【００１１】
これにより、スピーカユニットから所定の音程の音声を出力し、この状態で使用者がスピーカユニットを通じて伝達される振動を感じなくなるように発声し、使用者が振動を感じなくなった時点でスピーカユニットからの音声の音程と、使用者の発声音の音程とが一致したと判断せしめることにより、使用者の発する発声音の音程を確認することができるようになる。この場合、スピーカユニットから出力される音声の振動がエンクロージャを通じて直接的に伝達され、可能な限り正規の振動になって身体に伝達されるので、判断を確実に行うことができるようになる。そのため、歌のレッスンや語学レッスン等に利用することができ、極めて有用になる。
【００１２】
そして、必要に応じ、上記エンクロージャを、布材料，皮革材料，ゴム材料，紙材料，樹脂材料及びこれらの複合材料群から選択される１以上の材料で形成した構成としている。素材と空気が混在することが望ましい。確実に共振音を生じにくくすることができる。
【００１３】
また、必要に応じ、上記エンクロージャを、上記スピーカユニット側に位置させられる基層と、該基層の外側に密集させて植設された所要長さの多数の毛房（パイル）とを備えて構成している。毛房の中に混在する空気により、弾力性を持たせることができ、音波及び振動の減衰を程よくすることができ、より一層、共振音を生じにくくすることができる。また、スピーカユニットが接触した接触部位での振動の伝達を確実にすることができる。
【００１４】
この場合、上記毛房（パイル）の長さＬを、３ｍｍ≦Ｌ≦３０ｍｍにしたことが有効である。エンクロージャを身体に接触させたとき、毛房が程よく倒れて層をなし、弾力性を持たせることができ、音波及び振動の減衰を程よくすることができ、より一層、共振音を生じにくくすることができる。また、スピーカユニットが接触した接触部位での振動の伝達を確実にすることができる。
【００１５】
また、必要に応じ、上記エンクロージャを袋状に形成し、該エンクロージャに上記スピーカユニットの出力面を露出させる窓開口を設け、該スピーカユニットをその出力面を露出させて上記エンクロージャに保持する構成としている。エンクロージャの外方の外気に音声を伝播させやすくなる一方、スピーカユニットの背面側をエンクロージャに接触させるので、身体に確実に振動を伝達することができる。
【００１６】
更に、必要に応じ、上記エンクロージャに、上記スピーカユニットを保持する保持部を設けた構成としている。スピーカユニットの保持を確実にすることができる。
この場合、上記保持部を、上記スピーカユニットの外側が嵌合する筒状体で構成したことが有効である。筒状体に嵌合するので、スピーカユニットの保持が容易であり、その保持も確実になる。
【００１７】
更にまた、必要に応じ、上記付帯手段を、上記エンクロージャを収納する袋状の収納部と、該収納部に設けられ身体に係着されて該収納部を身体に接触させるベルトとを備えて構成している。エンクロージャの収納が容易であり、身体への装着も容易になる。また、動きながらの使用の際、収納部を介してエンクロージャを身体に確実に付帯させておくことができる。
【００１８】
また、必要に応じ、音声に基づく音声信号を生成する音声信号生成手段と、該音声信号生成手段が生成した音声信号を増幅して上記スピーカユニットから音声として出力させるアンプとを備え、上記音声信号生成手段を、音程の異なる複数の音声に対応した音声信号を記憶する音声信号記憶手段と、上記音程の異なる複数の音声のいずれかを指定する音声指定手段と、音声指定手段によって指定された音声に対応する音声信号を上記音声信号記憶手段から選択して出力する音声信号出力手段とを備えて構成している。
【００１９】
これにより、使用者の発する発声音の音程を確認する際に有用になる。即ち、使用者が、音声信号生成手段において、音声指定手段により音程の異なる複数の音声のいずれかを指定すると、音声信号出力手段が音声指定手段によって指定された音声に対応する音声信号を音声信号記憶手段から選択して出力する。これにより、アンプが、音声信号生成手段からの音声信号を増幅してスピーカユニットから音声を出力させる。この状態で、使用者がスピーカユニットを通じて伝達される振動を感じなくなるように発声し、使用者が振動を感じなくなった時点でスピーカユニットからの音声の音程と、使用者の発声音の音程とが一致したと判断せしめる。１つの音程の音声について成功したならば、再び、音声指定手段により音程の異なる別の音声を指定し、同様に、使用者の発する発声音の音程を確認する。そのため、歌のレッスンや語学レッスン等に、極めて有用になる。
【００２０】
また、本発明は、上記のスピーカ装置を用いて、使用者の発する発声音の音程を確認する音程確認方法であって、使用者の身体に上記スピーカ装置の本体を付帯手段により付帯し、上記スピーカユニットから所定の音程の音を出力し、この状態で使用者が上記スピーカユニットを通じて伝達される振動を感じなくなるように発声し、使用者が振動を感じなくなった時点でスピーカユニットからの音声の音程と、使用者の発声音の音程とが一致したと判断せしめる音程確認方法にある。使用者の発声音の音程を確認することができ、そのため、歌のレッスンや語学レッスン等に利用することができ、極めて有用になる。
【発明の効果】
【００２１】
本発明によれば、スピーカユニット及びエンクロージャを備えた本体を、付帯手段により身体に付帯した状態で、スピーカユニットから音声を出力すると、使用者は外気を通して感じる音声と、エンクロージャから身体に伝達される振動との両方で音声を感じることができ、音声を多角的に感じ取ることができる。この場合、エンクロージャが柔軟性を有しているので、共振音が生じにくく、また、エンクロージャが身体に接触する接触部位にスピーカユニットを接触させているので、スピーカユニットから出力される音声の振動がエンクロージャを通じて直接的に伝達され、可能な限り正規の振動になって身体に伝達することができるようになる。
【００２２】
そのため、例えば、楽器による音楽の演奏の音声である場合には、楽器の音色だけでなく、演奏家が感じている楽器の振動をそのまま身体で体感ができ、また、人の声に基づく音声の場合には、より真正で現実的な音声として体感することができる。この結果、例えば、聴覚の不自由な人が音楽や人の声を体感する際に、あるいは、音育や語学レッスンにも利用する際に、極めて有用になる。更に、本体を付帯手段により身体に付帯させるので、使用者が動きながら使用することができ、例えば、音楽の場合、踊りながら聞くことができる。
【００２３】
また、スピーカユニットから所定の音程の音声を出力し、この状態で使用者がスピーカユニットを通じて伝達される振動を感じなくなるように発声し、使用者が振動を感じなくなった時点でスピーカユニットからの音声の音程と、使用者の発声音の音程とが一致したと判断せしめることにより、使用者の発する発声音の音程を確認することができるようになる。この場合、スピーカユニットから出力される音声の振動がエンクロージャを通じて直接的に伝達され、可能な限り正規の振動になって身体に伝達されるので、判断を確実に行うことができるようになる。そのため、歌のレッスンや語学レッスン等に利用することができ、極めて有用になる。
【図面の簡単な説明】
【００２４】
【図１】本発明の実施の形態に係るスピーカ装置を示す分解斜視図である。
【図２】本発明の実施の形態に係るスピーカ装置を示す横断面図である。
【図３】本発明の実施の形態に係るスピーカ装置を示す縦断面図である。
【図４】本発明の実施の形態に係るスピーカ装置のエンクロージャを示す部分断面図である。
【図５】本発明の実施の形態に係るスピーカ装置の音声信号生成手段の構成を示すブロック図である。
【図６】本発明の実施の形態に係るスピーカ装置の使用状態を示す図である。
【図７】本発明の別の実施の形態に係るスピーカ装置を示す分解斜視図である。
【図８】従来のスピーカ装置の一例を示す横断面図である。
【発明を実施するための形態】
【００２５】
以下、添付図面に基づいて、本発明の実施の形態に係るスピーカ装置及びこれを用いて行う音程確認方法について詳細に説明する。
図１乃至図６には、本発明の実施の形態に係るスピーカ装置Ｓを示している。このスピーカ装置Ｓは、音声を送出するスピーカユニット１及びスピーカユニット１を包容するエンクロージャ１０を備えた本体２と、この本体２をスピーカユニット１の振動が身体Ｍに伝達されるように身体Ｍの背に付帯させる付帯手段２０とを備えている。ここで、音声とは、人の声のみならず、音楽，電子音など人間の聴覚で認識可能な様々な音を意味する。
【００２６】
スピーカユニット１は、周知のコーン型のもので、コーン状の振動板３と、振動板３の開口縁部が取り付けられる先端周縁部４を有しコーン状に広がるフレーム５と、フレーム５の基端部に設けられたヨーク６とを備えて構成されている。また、先端周縁部４は、ヨーク６の後端部を突出させてフレーム５を囲繞する硬質のプラスチック製の円筒状の筒体７に取付けられている。先端周縁部４の前側には、スピーカユニット１の出力面１ａを構成する多数の小孔が設けられたカバー８が設けられている。
【００２７】
エンクロージャ１０は、音波及び振動を減衰する柔軟性のある材料で形成され、例えば、布材料，皮革材料，ゴム材料，紙材料，樹脂材料及びこれらの複合材料群から選択される１以上の材料で形成されている。
実施の形態では、図４に示すように、エンクロージャ１０は、カーペットやラグに用いられる布材料で形成され、スピーカユニット１側に位置させられる基層１１と、基層１１の外側に密集させて植設された所要長さの多数の毛房１２（パイル）とを備えて構成されている。基層１１は、スピーカユニット１側の帆布１１ａ及びこの帆布１１ａに一体に設けられた基布１１ｂからなる。毛房１２の長さＬは、３ｍｍ≦Ｌ≦３０ｍｍに設定されている。
【００２８】
また、エンクロージャ１０は、下端が開放し前面部１３及び後面部１４を有した偏平の袋状に形成されており、その上側は円弧状に形成され、内部にスピーカユニット１が収納される。そして、エンクロージャ１０の後面部１４は、身体Ｍの背に接触する接触部位Ｔを構成している。また、エンクロージャ１０の前面部１３の上側中央には、スピーカユニット１の出力面１ａを露出させる窓開口１５が設けられ、エンクロージャ１０にはスピーカユニット１をその出力面１ａを露出させて保持する保持部１６が設けられている。スピーカユニット１の筒体７の外側にはエンクロージャ１０と同様の布材料１７が巻回されて被覆されており、保持部１６は、スピーカユニット１の筒体７の外側が布材料１７を介して嵌合する筒状体１８で構成されている。筒状体１８は、上記の基層１１で形成され、窓開口１５の内縁に連続して設けられている。そして、スピーカユニット１は、エンクロージャ１０の保持部１６に保持された状態では、その後面部１４にヨーク６の背面６ａが接触している。即ち、エンクロージャ１０が身体Ｍに接触する接触部位Ｔに、空間を介することなくスピーカユニット１が接触させられている。
【００２９】
また、本スピーカ装置Ｓにおいて、付帯手段２０は、リュックサックで構成されており、エンクロージャ１０を収納する袋状の収納部２１と、収納部２１に設けられ身体Ｍに係着されて収納部２１を身体Ｍに接触させるベルト２２とを備えて構成されている。エンクロージャ１０は、その接触部位Ｔとしての後面部１４が身体Ｍの背に対面するように収納部２１に収納される。ベルト２２は、収納部２１から伸びこの収納部２１をエンクロージャ１０を身体Ｍの背に接触させて身体Ｍに係着させる一対の肩ベルト２２ａと、腰に巻回される腰ベルト２２ｂと、一対の肩ベルト２２ａ間に架設され胸に押さえられる胸ベルト２２ｃとを備えて構成されている。エンクロージャ１０の収納が容易であり、身体Ｍへの装着も容易になる。また、収納部２１には、スピーカユニット１の出力面１ａに対応した部位に複数の小孔２３が設けられている。
【００３０】
また、本スピーカ装置Ｓは、音声に基づく音声信号を生成する音声信号生成手段３０と、音声信号生成手段３０が生成した音声信号を増幅してスピーカユニット１から音声として出力させるアンプ３１と、アンプ３１の電源３２とを備えている。アンプ３１には音量を調整するボリューム３３が設けられている。アンプ３１及び電源３２は、スピーカユニット１の下に配置され、エンクロージャ１０内に収納される。音声信号生成手段３０は、例えば、マイクロフォン、ラジオチューナー、テープレコーダー，ＣＤプレーヤー，ＭＤレコーダー等の音響機器、あるいは、スマートフォン，モバイル・インターネット・デバイス（ＭＩＤ），ファブレット・コンピュータ，タブレット・コンピュータ等の端末機器等、種々の機器で構成することができる。
【００３１】
実施の形態では、特に、音声信号生成手段３０は、手で把持できる携帯端末で構成され、音楽を生成できる機能を備えているとともに、図５に示すように、特に、音程の異なる複数の音声（例えば、人の声）に対応した音声信号を記憶する音声信号記憶手段３４と、音程の異なる複数の音声のいずれかを指定する音声指定手段３５と、音声指定手段３５によって指定された音声に対応する音声信号を音声信号記憶手段３４から選択して出力する音声信号出力手段３６とを備えて構成されている。
【００３２】
従って、実施の形態に係るスピーカ装置Ｓを使用するときは、図６に示すように、使用者は、スピーカユニット１及びエンクロージャ１０を備えた本体２を、付帯手段２０により身体Ｍに付帯する。実施の形態では、付帯手段２０はリュックサックで構成されており、収納部２１をエンクロージャ１０を身体Ｍの背に接触させて、肩ベルト２２ａを肩にかけるとともに、腰に腰ベルト２２ｂを巻回し、胸に胸ベルト２２ｃを巻回して装着する。
【００３３】
この状態で、携帯端末からなる音声信号生成手段３０を操作し、例えば音楽を出力して楽しむ。この際、スピーカユニット１から音声を出力すると、音声がエンクロージャ１０の外方の外気に伝播されるとともに、エンクロージャ１０を通じて身体Ｍに伝達される。そのため、使用者は外気を通して感じる音声と、エンクロージャ１０から身体Ｍに伝達される振動との両方で音声を感じることができ、音声を多角的に感じ取ることができる。この場合、エンクロージャ１０の身体Ｍに接触する接触部位Ｔにスピーカユニット１を接触させているので、スピーカユニット１の振動がエンクロージャ１０を通じて直接的に伝達されるとともに、エンクロージャ１０が音波及び振動を減衰する柔軟性のある材料で形成されているので、スピーカユニット１の直接振動ならびに、内部に放射される音によってエンクロージャ１０が共振振動しても、共振音等の不要音の発生が極めて少なくなる。また、エンクロージャ１０が吸音素材で出来ており、音の反射も少ないため、定在波の発生もなく、内部に放射される音が効果的に吸音される。エンクロージャ１０内部の損失が高いため、不要な内部振動が発生しにくく、目的音以外の発生が抑えられる。このため、スピーカユニット１から出力される音声の振動を可能な限り正規の振動にして身体Ｍに伝達することができる。
【００３４】
そのため、例えば、音楽が、楽器による演奏である場合には、楽器の音色だけでなく、演奏家が感じている楽器の振動をそのまま身体Ｍで体感できる。また、本体２を付帯手段２０により身体Ｍに付帯させるので、使用者が動きながら使用することができ、例えば、踊りながら聞くことができる。この場合、エンクロージャ１０を、布材料で形成し、基層１１の外側に所要長さ（３ｍｍ≦Ｌ≦３０ｍｍ）の多数の毛房１２を密集させて植設したので、毛房１２の中に混在する空気により、弾力性を持たせることができ、音波及び振動の減衰を程よくすることができ、共振音を生じにくくすることができる。また、スピーカユニット１が接触した接触部位Ｔでの振動の伝達を確実にすることができる。
【００３５】
また、エンクロージャ１０においてはスピーカユニット１をその出力面１ａを外向きに露出させて保持しているので、エンクロージャ１０の外方の外気に音声を伝播させやすくなる一方、スピーカユニット１の背面側をエンクロージャ１０に接触させるので、身体Ｍに確実に振動を伝達することができる。更に、スピーカユニット１はその外側が保持部１６としての筒状体１８に嵌合して保持されているので、保持が容易であり、その保持も確実になる。
【００３６】
次に、この実施の形態に係るスピーカ装置Ｓを用いて、使用者の発する発声音の音程を確認する音程確認方法について説明する。図５及び図６に示すように、使用者は、音声信号生成手段３０において、音声指定手段３５により音程の異なる複数の音声のいずれかを指定すると、音声信号出力手段３６が音声指定手段３５によって指定された音声に対応する音声信号を音声信号記憶手段３４から選択して出力する。これにより、アンプ３１が、音声信号生成手段３０からの音声信号を増幅してスピーカユニット１から音声を出力させる。この状態で、使用者がスピーカユニット１を通じて伝達される振動を感じなくなるように発声し、使用者が振動を感じなくなった時点でスピーカユニット１からの音声の音程と、使用者の発声音の音程とが一致したと判断せしめる。１つの音程の音声について成功したならば、再び、音声指定手段３５により音程の異なる別の音声を指定し、同様に、使用者の発する発声音の音程を確認する。そのため、歌のレッスンや語学レッスン等に、極めて有用になる。尚、この音程確認方法においては、音声信号生成手段３０として、マイクロフォンを用い、第三者の肉声を音声信号に変えて使用者に伝達して行うことも極めて有効である。
【００３７】
図７には、本発明の別の実施の形態に係るスピーカ装置Ｓを示している。これは上記と同様に形成されるが、上記と異なって、エンクロージャ１０が楕円状で袋状に形成されており、内部にスピーカユニット１が収納される。そして、エンクロージャ１０の後面部１４は、身体Ｍの胴回りに接触する接触部位Ｔを構成している。また、エンクロージャ１０の前面部１３の中央には、スピーカユニット１の出力面１ａを露出させる窓開口１５が設けられている。付帯手段２０は、ウエストポーチで構成されており、エンクロージャ１０を収納する袋状の収納部２１と、収納部２１に設けられ身体Ｍに係着されて収納部２１を身体Ｍの腰に接触させるベルト２２とを備えて構成されている。この別の実施の形態に係るスピーカ装置Ｓにおいても、上記と同様の作用，効果を奏する。
【００３８】
尚、上記実施の形態においては、スピーカユニット１としてコーン型のものを用いたが、必ずしもこれに限定されるものではなく、例えば、ホーン型、静電型、リボン型等、種々のタイプのものを用いて良く、適宜変更して差支えない。また、上記実施の形態においては、アンプ３１及び電源３２をエンクロージャ１０内に収納したが、必ずしもこれに限定されるものではなく、エンクロージャ１０の外に設けても良く、適宜変更して差支えない。更に、付帯手段２０は、上記に限定されるものではなく、例えば、エンクロージャ１０に直接ベルト２２を設けてエンクロージャ１０を直接身体Ｍに付帯させるようにする等、適宜変更して差支えない。
【符号の説明】
【００３９】
Ｓ  スピーカ装置
Ｍ  身体
１  スピーカユニット
１ａ  出力面
２  本体
３  振動板
４  先端周縁部
５  フレーム
６  ヨーク
７  筒体
８  カバー
１０  エンクロージャ
１１  基層
１２  毛房
１３  前面部
１４  後面部
Ｔ  接触部位
１５  窓開口
１６  保持部
１８  筒状体
２０  付帯手段
２１  収納部
２２  ベルト
３０  音声信号生成手段
３１  アンプ
３２  電源
３４  音声信号記憶手段
３５  音声指定手段
３６  音声信号出力手段
【図１】
2017028650.tif 000003
【図２】
2017028650.tif 000004
【図３】
2017028650.tif 000005
【図４】
2017028650.tif 000006
【図５】
2017028650.tif 000007
【図６】
2017028650.tif 000008
【図７】
2017028650.tif 000009
【図８】
2017028650.tif 000010